(57)【要約】【課題】冷蔵または冷凍に不適な食品を冷蔵庫に収納しようとすると報知を行うようにしたものである。【解決手段】冷蔵庫２に備えられたリーダ４で、食品５に添付された無線ＩＣタグ６の情報を読取り、読取った情報を解析し、記憶手段に記憶された低温障害を起こす野菜や果物のような冷蔵または冷凍に適さない食品に該当すれば報知するので、ユーザーに誤った保存方法をしてしまうことを防止し、ユーザーが冷やしてから食べたい場合は、そのまま冷やせば、冷え頃になるとユーザーに報知する。【選択図】図１
2006194551.tif 000002
【特許請求の範囲】
【請求項１】
食品に添付された無線ＩＣタグの情報を読み取る読取手段と、前記読取手段が無線ＩＣタグから読み取った情報を解析する解析手段と、解析した結果を記憶する記憶手段と、前記解析手段で解析した結果、冷蔵または冷凍に適さない食品の情報であれば使用者への注意を促す報知を行う第一報知手段と、前記第一報知手段で報知した後、食品が冷え頃の温度に達する所定時間経過後に、前記記憶手段により記憶した食品を前記読取手段で再度検知すれば、使用者へ食品が冷え頃になったことを報知する第二報知手段とを備えた冷蔵庫。
【請求項２】
前記第二報知手段で報知するのは、冷蔵庫の扉が開けられた時であることを特徴とした請求項１記載の冷蔵庫。
【請求項３】
前記第二報知手段で報知するための前記所定時間は、食品の種類別に設定することを特徴とした請求項１または２記載の冷蔵庫。
【請求項４】
前記第二報知手段で報知するための前記所定時間は、周囲温度別に設定することを特徴とした請求項１〜３のいずれか１項に記載の冷蔵庫。
【請求項５】
ネットワーク経由で情報サーバに蓄積された第二の情報を取得し、前記第二の情報から前記解析手段で解析した結果に対して冷蔵または冷凍に適さない食品か否かを判断し、適さないのであれば使用者への報知を行うことを特徴とした請求項１〜４のいずれか１項に記載の冷蔵庫。
【請求項６】
一定時間ごとにネットワーク経由で前記第二の情報を更新することを特徴とした請求項１〜５のいずれか１項に記載の冷蔵庫。
【請求項７】
前記第二報知手段で報知するための前記所定時間の設定情報は、ネットワーク経由で取得することを特徴とした請求項１〜６のいずれか１項に記載の冷蔵庫。
【請求項８】
一定時間ごとにネットワーク経由で前記所定時間の設定情報を更新することを特徴とした請求項７に記載の冷蔵庫。
【請求項９】
食品に添付された無線ＩＣタグの情報を読み取る読取手順と、前記読取手順で無線ＩＣタグから読み取った情報を解析する解析手順と、解析した結果を記憶する記憶手順と、前記解析手段で解析した結果、冷蔵または冷凍に適さない食品の情報であれば使用者への注意を促す報知を行う第一報知手順と、前記第一報知手順で報知した後、食品が冷え頃の温度に達する所定時間経過後に、前記記憶手順により記憶した食品を再度検知すれば、使用者へ食品が冷え頃になったことを報知する第二報知手順を備えた冷蔵庫の制御方法。
【請求項１０】
請求項１〜８のいずれか１項記載の冷蔵庫の機能の少なくとも一部をコンピュータにて実現させるためのプログラム。
【発明の詳細な説明】
【技術分野】
【０００１】
本発明は、食品に添付された無線ＩＣタグから情報を読み取った情報を利用し、制御を行う冷蔵庫、冷蔵庫の制御方法およびプログラムに関するものである。
【背景技術】
【０００２】
従来、この種の冷蔵庫としては、例えば、賞味期限や保存温度帯等の情報が書き込まれた無線ＩＣタグが添付された食品を冷蔵庫に収納し、在庫管理をするという提案がされている（特許文献１参照）。
【０００３】
図７は、前記特許文献１に記載された従来の在庫管理を行う冷蔵庫を示すものである。図７に示すように、保存温度帯や賞味期限等の情報が書き込まれた非接触ＩＣタグ１０１が添付された食品を冷蔵庫に収納すると、冷蔵庫に備え付けられた非接触ＩＣタグ用リーダ１０２で食品の情報を読み取り、食品を最適の条件で冷蔵したり、保存条件が適合しない場合には、警告を発する機能を有するという冷蔵庫である。
【特許文献１】特開２００１−３１７８６２号公報
【発明の開示】
【発明が解決しようとする課題】
【０００４】
しかしながら、前記従来例では、保存条件が適合しない場合は警告を発するが、ユーザーが長期保存すると食品が傷んでしまうが冷やしてから食べたい場合、警告を無視して冷やすしかない。ユーザーは、警告を無視して冷やした場合、冷え頃になった時に冷蔵庫から食品を取り出さないと、トマトやナス等の野菜、バナナやグレープフルーツ等の果物は、低温障害を起こしてしまう。
【０００５】
本発明は、前記従来の課題を解決するもので、低温障害を起こすトマトやナス等の野菜、バナナやグレープフルーツ等の果物のような冷蔵または冷凍に適さない食品であれば、ユーザーに報知し、さらに、それでも冷やした場合は、冷え頃になるとユーザーに報知する冷蔵庫、冷蔵庫の制御方法およびプログラムを提供することを目的とする。
【課題を解決するための手段】
【０００６】
前記従来の課題を解決するために、本発明の冷蔵庫は、食品に添付された無線ＩＣタグから情報を読み取った情報を解析し、冷蔵庫に記憶された冷蔵または冷凍に適さない食品情報に該当する食品であれば、冷蔵庫に収納しようとした際、ユーザーに注意を促す報知を行うことにより、ユーザーに正しい食品の保存方法を提案し、さらに、ユーザーが冷蔵庫で長期保存するのではなく、冷やしてから食べたい場合は、冷え頃になるとユーザーに報知する。
【発明の効果】
【０００７】
本発明の冷蔵庫は、低温障害を起こすトマトやナス等の野菜、バナナやグレープフルーツ等の果物のような冷蔵または冷凍に適さない食品を誤って冷蔵庫で保存してしまわないことを提案し、さらに、長期保存するのではなく、冷やしてから食べたい場合は、冷え頃になるとユーザーに報知することを提供する。
【発明を実施するための最良の形態】
【０００８】
第１の発明は、食品に添付された無線ＩＣタグの情報を読み取る読取手段と、前記読取手段が無線ＩＣタグから読み取った情報を解析する解析手段と、解析した結果を記憶する記憶手段と、前記解析手段で解析した結果、冷蔵または冷凍に適さない食品の情報であれば使用者への注意を促す報知を行う第一報知手段と、前記第一報知手段で報知した後、食品が冷え頃の温度に達する所定時間経過後に、前記記憶手段により記憶した食品を前記読取手段で再度検知すれば、使用者へ食品が冷え頃になったことを報知する第二報知手段を備えた冷蔵庫であり、低温障害を起こすトマトやナス等の野菜、バナナやグレープフルーツ等の果物のような冷蔵または冷凍に適さない食品を誤って冷蔵庫で保存してしまうことを防ぎ、冷やしてから食べたい場合は、冷え頃になるとユーザーに報知するためユーザーは冷えたおいしい食品を食べることができる。
【０００９】
第２の発明は、特に、第１の発明の冷蔵庫において、前記第二報知手段で報知するのは、冷蔵庫の扉が開けられた時であることを特徴としたものであり、冷え頃になったことを確実にユーザーに知らせることができる。
【００１０】
第３の発明は、特に、第１または第２の発明の冷蔵庫において、前記第二報知手段で報知するための前記所定時間は、食品の種類別に設定することを特徴としたものであり、食品の種類別に精度良く食品の冷え頃を判定することができる。
【００１１】
第４の発明は、特に、第１〜第３のいずれか１つの発明の冷蔵庫において、前記第二報知手段で報知するための前記所定時間は、周囲温度別に設定することを特徴としたものであり、周囲温度別に精度良く食品の冷え頃を判定することができる。
【００１２】
第５の発明は、特に、第１〜第４のいずれか１つの発明の冷蔵庫において、ネットワーク経由で情報サーバに蓄積された第二の情報を取得し、前記第二の情報から前記解析手段で解析した結果に対して冷蔵または冷凍に適さない食品か否かを判断し、適さないのであれば使用者への報知を行うことを特徴としたものであり、冷蔵または冷凍に適さない食品の情報の最新のデータを取得することにより、冷蔵庫を買い換えたり、ユーザーに入力させたりせずに、冷蔵または冷凍に適さない食品の情報を更新することができる。
【００１３】
第６の発明は、特に、第１〜第５のいずれか１つの発明の冷蔵庫において、一定時間ごとにネットワーク経由で前記第二の情報を更新することを特徴としたものであり、冷蔵庫を買い換えたり、ユーザーに入力させたりせずに、最新の状態を保持することができる。
【００１４】
第７の発明は、特に、第１〜第６のいずれか１つの発明の冷蔵庫において、ネットワーク経由で前記所定時間の設定情報を取得することを特徴としたものであり、冷蔵庫を買い換えたり、ユーザーに入力させたりせずに、冷え頃になる設定時間を変更することができる。
【００１５】
第８の発明は、特に、第７の発明の冷蔵庫において、一定時間ごとにネットワーク経由で前記所定時間の設定情報を更新することを特徴としたものであり、冷蔵庫を買い換えたり、ユーザーに入力させたりせずに、最新の状態を保持することができる。
【００１６】
第９の発明は、食品に添付された無線ＩＣタグの情報を読み取る読取手順と、前記読取手順で無線ＩＣタグから読み取った情報を解析する解析手順と、解析した結果を記憶する記憶手順と、前記解析手段で解析した結果、冷蔵または冷凍に適さない食品の情報であれば使用者への注意を促す報知を行う第一報知手順と、前記第一報知手順で報知した後、食品が冷え頃の温度に達する所定時間経過後に、前記記憶手順により記憶した食品を再度検知すれば、使用者へ食品が冷え頃になったことを報知する第二報知手順を備えた冷蔵庫の制御方法であり、低温障害を起こすトマトやナス等の野菜、バナナやグレープフルーツ等の果物のような冷蔵または冷凍に適さない食品を誤って冷蔵庫で保存してしまうことを防ぐ。もし冷やしてから食べたい場合は、冷え頃になるとユーザーに報知するためユーザーは冷えたおいしい食品を食べることができる。
【００１７】
第１０の発明は、特に、第１〜８のいずれか１つの発明の冷蔵庫の機能の少なくとも一部をコンピュータに実現させるためのプログラム。そして、プログラムであるので電気・情報機器、コンピュータ、サーバ等のハードリソースを協働させて本発明の冷蔵庫の少なくとも一部を容易に実現することができる。また記録媒体に記録したり通信回線を用いてプログラムを配信したりすることでプログラムの配布やインストール作業が簡単にできる。
【００１８】
以下、本発明の実施の形態について、図面を参照しながら説明する。なお、この実施の形態によって本発明が限定されるものではない。
【００１９】
（実施の形態１）
図１は、本発明の実施の形態１における、食品に添付された無線ＩＣタグ６から読み取った情報からユーザに報知を行う冷蔵庫を示すシステム構成図である。図２は本発明の第１の実施の形態における冷蔵庫のブロック図を示すものである。
【００２０】
図１において、ネットワーク手段１を経由し、冷蔵庫２は、センターサーバ３とデータの送受信を行うことができる。ネットワーク手段１は、ＰＳＴＮ、ＩＳＤＮ、ＡＤＳＬ、ＣＡＴＶ網、光ケーブル、ＰＨＳ、無線通信網などで構成された通信媒体を利用する。通信媒体の種類によっては、宅内にゲートウェイやルータ、モデムなどの通信機器が必要だが、図示は省略する。
【００２１】
冷蔵庫２には、無線ＩＣタグの情報を読み取ることができるリーダ４が備えられていて、食品５を庫内に収納する際、食品５に添付された無線ＩＣタグ６の情報を読み取ることができる。また、音声ガイダンス等で報知が可能なスピーカ７も備えられている。
【００２２】
なお、食品５に添付された無線ＩＣタグ６の情報は、食品メーカや販売店などで既に書き込まれているものとする。例えば、書き込まれる情報は、製造年月日、食品名、賞味期限などである。
【００２３】
また、冷蔵室のドア開放を検知するドア開放検知スイッチ８が備えられており、ドア開放検知スイッチ８のＯＮを検知することでリーダ４の読取り動作を行うように同期させることができる。
【００２４】
図２において、冷蔵庫２には、リーダ４から無線ＩＣタグ６の情報を読取る読取手段１１と、読取手段１１が食品に添付された無線ＩＣタグから読み取った情報を解析する解析手段１２であって、解析したデータを冷蔵または冷凍に適さない食品情報のデータベースが記憶されている記憶手段１３と照合し、合致すれば制御手段１４に信号を出力する。また、読取った情報は在庫情報として、記憶手段１３に記憶する。制御手段１４は、信号を受信すると、報知手段１５にスピーカ７からユーザーに報知させるよう指示を出す。
【００２５】
リーダ４は、省エネルギーのため通常は読取り動作を休止しており、ドア開放検知手段１０よりドア開放を検知すると一定時間、読取り動作を行う。
【００２６】
また、スピーカ７に報知した後、第一タイマー手段１６のタイマーをスタートさせる。第一タイマー手段は、食品を冷蔵室に入れた後、食品が冷えるまでの時間Ｔ１を計時する。Ｔ１時間を経過すると、冷蔵室のドアの開閉に関係なく、リーダ４の読取り動作を開始し、既に記憶手段に記憶された食品の無線ＩＣタグ６を検知すると、第二報知手段２０にスピーカ７からユーザーに報知させるように指示を出す。
【００２７】
第二タイマー手段は、所定時間Ｔ２を計測し、Ｔ２経過毎に、データ取得手段１８と送受信手段１９とを利用して、センターサーバへ冷蔵または冷凍に適さない食品情報、または、Ｔ１時間情報が更新されていないかセンターサーバ３へ確認を行う。情報が更新されていれば、冷蔵庫２へ更新されたデータが送り返され、記憶手段１３で記憶しているデータベースの更新を行う。
【００２８】
図３は、本発明の第１の実施の形態における食品に添付された無線ＩＣタグから読み取った情報からユーザに報知を行う冷蔵庫の動作を示すフローチャート、図４は、センターサーバから取得するデータ構成の一例を示す図である。図５は、周囲温度と所定時間Ｔ２の関係図である。図６は、本発明の第１の実施の形態における冷蔵または冷凍に不適な食品情報のデータベースを更新するフローチャートである。
【００２９】
図３では、ドア開放を検知すると（Ｓ５１）、リーダ４への読取り動作を開始させる。ユーザが無線ＩＣタグ５が添付された食品を冷蔵室に収納しようとすると、リーダ４より無線ＩＣタグ５の情報が読取れる（Ｓ５２）。読取った情報を解読し、記憶手段１３にある冷蔵または冷凍に不適な食品データに相当するか否かを判断する（Ｓ５３）。
【００３０】
（Ｓ５３）の判断方法として、一例をあげると、図４に示すようなデータが冷蔵または冷凍に不適の食品一覧表である。例えば、バナナを冷蔵庫に入れようとしたとする。その際、読取ったデータの食品名の文字検索を行い、「バナナ」が含まれていた場合、冷蔵または冷凍に不適の食品一覧表に該当するので、冷蔵または冷凍に不適な食品と判定する。
【００３１】
冷蔵または冷凍に不適な食品とは、例えば、冷蔵室に入れると低温障害を起こすトマトやナス等の野菜や、バナナやリンゴ等の果物が該当する。もし、前記野菜や果物を長期間冷蔵庫で保存すると低温障害を起こし、野菜や果物が傷み、鮮度が著しく低下し、腐ってしまう可能性がある。
【００３２】
読み取ったデータが冷蔵または冷凍に不適な食品に該当すれば、記憶部１３に読取ったデータを保存し（Ｓ５４）、タイマＴ１をスタートさせる（Ｓ５５）。そして、スピーカ７より、ユーザーに、例えば、「この食品は冷蔵庫で保存してはいけませんが、よろしいですか」等の音声ガイダンスで注意を促す（Ｓ５６）。
【００３３】
しかし、ユーザーは、長期間保存したいのではなく、果物などは冷やしてから食べたい場合がある。そのような場合、注意を承知の上、冷蔵庫に収納する。収納後、Ｔ１時間経過後（Ｓ５７）、再度、リーダ４から冷蔵庫内の食品の無線ＩＣタグの読取り動作を行い（Ｓ５８）、記憶部１３で在庫した食品があれば（Ｓ５９）、その食品が冷えたと想定し、例えば、「食品が冷えました」と音声ガイダンスで報知を行う（Ｓ６０）。
【００３４】
なお、Ｔ１時間は、図４に示すように食品別に設定された冷え頃時間（分）であり、さらに、図５に示すように周囲温度によって冷え頃時間を微調整できるように設定できる。例えば、周囲温度２０℃のとき、トマトの冷え頃時間は６０分であるが、周囲温度３０℃のときは、図５に示すように５分を計上し、６５分が設定されることになる。
【００３５】
また、本実施例では、（Ｓ６０）のタイミングで報知を行ったが、次にドアが開放されたタイミングで報知すれば、確実にユーザーに報知が伝わる。
【００３６】
次に、冷蔵または冷凍に不適な食品情報のデータベースを更新するフローチャートを説明する。図６では、Ｔ２タイマをスタートし（Ｓ７１）、Ｔ２時間が経過すれば（Ｓ７２）、センターサーバに冷蔵または冷凍に不適な食品情報が含まれるデータまたは冷え頃の設定時間が更新されているか否かを問い合わせる（Ｓ７３）。更新されていれば（Ｓ７４）、センターサーバより最新のデータを受信し、記憶部１３のデータを更新を行う（Ｓ７５）。なお、本実施の形態では、Ｔ２時間は２４ｈとした。
【００３７】
以上のように、本実施の形態においては、低温障害を起こすトマトやナス等の野菜、バナナやグレープフルーツ等の果物のような冷蔵または冷凍に適さない食品を冷蔵庫に収納しようとすると報知するので、誤った保存方法をしてしまうことを防ぐことができる。
【００３８】
また、長期間保存したいのではなく、果物などは冷やしてから食べたい場合には、冷蔵庫に入れてから所定時間Ｔ１後に食品が冷えたということを報知するので、ユーザーが好むニーズに対応することができる。
【００３９】
また、冷蔵または冷凍に適さない食品情報は、ネットワーク経由で最新情報に更新することができるので、加工食品等、将来的に該当食品が増加した場合にも対応できる。
【００４０】
なお、本実施の形態では、リーダ４で読取った情報が、冷蔵または冷凍に不適な食品に該当する場合のみ、記憶手段１３に記憶したが、該当するしないに関係なく入庫するたびに保存しても構わないし、該当しなくても冷え頃を報知するようにしても構わない。
【００４１】
また、報知手段１５よりスピーカ７を用いて音声ガイダンスで報知を行ったが、ブザーで報知したり、ＬＥＤや液晶パネルなどの表示器を取り付けて報知してもよい。
【００４２】
また、食品に添付された無線ＩＣタグは、食品名で検索を行ったが、食品の種類別に分類したコードを体系化することでコード管理で検索するようにしたり、あるいは、保存温度帯情報や冷蔵または冷凍には不適だという情報を無線ＩＣタグに埋め込めれば、その情報を元に報知するようにしてもよい。
【００４３】
また、冷蔵または冷凍に不適かどうかの判断は、全て冷蔵庫で行ったが、コストの関係で、無線ＩＣタグには、ＩＤ情報しか書き込めない場合は、読み込んだＩＤをセンターサーバへ問い合わせ、センターサーバ側で冷蔵または冷凍に不適か否かの判断結果を行い、判断結果を冷蔵庫にフィードバックすることで、報知を行ったりするという方法でも実現できる。
【００４４】
また、冷蔵庫側から一定時間Ｔ２毎に冷蔵または冷凍に適さない食品情報が更新されていないかを問い合わせしたが、センターサーバから情報更新すれば、同報通知することで情報を更新するようにしても構わない。
【００４５】
また、無線ＩＣタグから食品の情報を読み取る毎にセンターサーバにアクセスして、冷蔵または冷凍に適さない食品情報が更新されていないかを問い合わせるようにしてもよい。
【００４６】
なお、本実施の形態で説明した部は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４７】
以上のように、本発明にかかる冷蔵庫、冷蔵庫の制御方法及びプログラムは、冷蔵庫は、ネットワーク手段を介し、直接センターサーバと接続したが、家電機器を制御できる情報端末装置がセンターサーバと接続され、冷蔵庫は、別のネットワークで情報端末装置と無線あるいは有線で接続できて、情報端末装置経由でセンターサーバと通信ができるような構成であっても、同様の方法で実現できる。
【００４８】
また、家庭用の冷蔵庫、業務用の冷蔵庫に利用できる。
【図面の簡単な説明】
【００４９】
【図１】本発明の第１の実施の形態における、食品に添付された無線ＩＣタグから読み取った情報からユーザに報知を行う冷蔵庫を示すシステム構成図
【図２】本発明の第１の実施の形態における、冷蔵庫のブロック図
【図３】本発明の第１の実施の形態における、食品に添付された無線ＩＣタグから読み取った情報からユーザに報知を行う冷蔵庫の動作を示すフローチャート
【図４】本発明の第１の実施の形態における、センターサーバから取得するデータ構成の一例を示す図
【図５】本発明の第１の実施の形態における、周囲温度と所定時間Ｔ１の関係図
【図６】本発明の第１の実施の形態における、データベースを更新するフローチャート
【図７】従来の在庫管理を行う冷蔵庫のブロック構成図
【符号の説明】
【００５０】
１  ネットワーク手段
２  冷蔵庫
３  センターサーバ（情報サーバ）
４  リーダ
５  食品
６  無線ＩＣタグ
１０  ドア開放検知手段
１１  読取手段
１２  解析手段
１３  記憶手段
１５  第一報知手段
１８  データ取得手段
２０  第二報知手段
【図１】
2006194551.tif 000003
【図２】
2006194551.tif 000004
【図３】
2006194551.tif 000005
【図４】
2006194551.tif 000006
【図５】
2006194551.tif 000007
【図６】
2006194551.tif 000008
【図７】
2006194551.tif 000009